(57)【要約】【課題】快適性を維持しながら、背部の適切な部位に圧力をかけることにより、交感神経活動を促進し、その結果、パフォーマンスをも向上させることができる衣料を提供すること。【解決手段】胸部および背部を覆う衣料において、胸部および背部の一部を構成する生地Ａの身体の周長方向の３０％伸長応力が１０ｇｆ／ｃｍから４０ｇｆ／ｃｍ、背部の少なくとも左右肩甲骨間の左右肩甲骨下端間を結ぶライン（a）と左右肩甲骨間の最も距離が短いライン(b)との間に配置する生地Ｂの、身体の周長方向の３０％伸長応力が４０ｇｆ／ｃｍから７０ｇｆ／ｃｍである衣料。【選択図】図２
2006161207.tif 000002
【特許請求の範囲】
【請求項１】
胸部および背部を覆う衣料において、胸部および背部の一部を構成する生地Ａの身体の周長方向の３０％伸長応力が１０ｇｆ／ｃｍから４０ｇｆ／ｃｍ、背部の少なくとも左右肩甲骨間の左右肩甲骨下端間を結ぶライン（a）と左右肩甲骨間の最も距離が短いライン(b)との間に配置する生地Ｂの身体の周長方向の３０％伸長応力が４０ｇｆ／ｃｍから７０ｇｆ／ｃｍであることを特徴とする部分的に伸長応力が異なる衣料。
【請求項２】
身体の周長方向の最大８０％伸長の回復過程における伸長率３０％時の応力が生地Ａで５ｇｆ／ｃｍから１５ｇｆ／ｃｍ、生地Ｂで１０ｇｆ／ｃｍから４０ｇｆ／ｃｍであることを特徴とする請求項１記載の部分的に伸長応力が異なる衣料。
【請求項３】
生地Ｂが肋骨より上部（c）では、身体の周長方向全てを覆ってはいないことを特徴とする請求項２記載の部分的に伸長応力が異なる衣料。
【発明の詳細な説明】
【技術分野】
【０００１】
本発明は、部分的に伸長応力が異なる衣料であり、その結果、身体にかかる圧力が部分的に異なる衣料に関する。衣料を着用することにより身体にかかる圧力分布を適切に制御し、その結果、交感神経活動を高め、パフォーマンスを向上させることを目的とする衣料に関するものである。
【背景技術】
【０００２】
従来、快適性に優れる衣料として、不快感を緩和することを目的に、さまざまな商品開発が行われてきた。熱・水分特性に関するもの、衣服により身体にかかる圧力である衣服圧に関するもの、肌触りに関するもの、などがある。その中でも、衣料を着用することにより身体にかかる圧力を、どのように制御すればよいかという問題は、重要な検討課題の１つとされてきた。特に、身体にフィットする衣料については、身体のラインをきれいに見せる、アウターに響かないようにすることが目的の商品が多い。その代表的な衣料として、ブラジャー、ガードル、ボディスーツがある。これらについては、窮屈に感じさせず、かつ、バストアップ、ヒップアップ、ウエスト引き締めなどの整形効果を発揮するという、相反するとも思える要求性能を満たすことに大きな課題があった。最近では、このような整形効果、美的効果のみならず、筋肉をサポートする、あるいは、動きやすさの追及、筋力アップ、テーピング理論の応用など、さまざまな目的をもって、身体にかかる圧力の制御方法が検討されている。以下に具体的な例を示す。
【０００３】
バスト部にふくらみを形成して編成する肌着により、バスト部を立体的に美しくみせる効果を出すことを目的としているものが知られている（例えば、特許文献１参照。）。また、胸周りの生地に余裕を設け、バスト部を立体的に表現し美しく見せることを目的としているものも知られている（例えば、特許文献２参照。）。これらは、バストの本来の形の美しさを追求したものであり、身体にかかる圧力を適切に配置して、交感神経活動を高め、パフォーマンスを向上させることを狙ったものではない。身体の特定の箇所の衣服圧を高めることにより、自律神経活動を変化させるというものではない。
【特許文献１】特開平１０−０３７００３号公報
【特許文献２】特開平１０−０４６４０２号公報
【０００４】
大腿部、足首部の部位に応じた編地のループ長を設定することにより、快適な締め付け感を示すパンティストッキングを提供することを目的としているものが知られている（例えば、特許文献３参照。）。あるいは、パンティストッキングの圧力分布を適切に配置することにより、歩行による血流を心臓に送るミルキングアクションを効果的に行うことができるものも研究されている（例えば、特許文献４参照。）。また、座位において、静脈還流効果を維持するため、座位時の屈曲を伴う部位の着圧が２５ｇｆ／ｃｍ2を超えないパンストも提案されている（例えば、特許文献５参照。）。これらは、身体にかかる圧力を適切に制御して、快適に感じさせる、あるいは健康増進を図ることを目的としたものであり、自律神経活動を変化させてパフォーマンスを高めることを狙ったものではない。
【特許文献３】特願平０７−１９０６３１号公報
【特許文献４】特願平０７−０１９８１２号公報
【特許文献５】特願平１１−３１４１５２号公報
【０００５】
レッグウェアについては、積極的に身体に圧力をかけて、運動追従性を維持し、かつ、筋肉疲労を軽減、予防することを目的とした例もある（例えば、特許文献６参照。）。また、大腿部後面の筋肉であるハムストリングスの補強をすることを狙ったレッグウェアもある（例えば、特許文献７参照。）。特許文献６は、上肢についても同様の効果を謳っている。これらは、圧力を適切に配置するというものではあるが、自律神経活動を変化させてパフォーマンスを高めるものとは異なる。
【特許文献６】特開平０８−１１７３８２号公報
【特許文献７】特開平１０−２８０２０９号公報
【０００６】
そのほかにも、脇部に非伸縮性の生地を配置して、脊柱の動きを阻害することなく、姿勢矯正を可能にしたブラジャーも提案されている（例えば、特許文献８参照。）。しかし、これも好感神経活動を促進させ、パフォーマンスを高めるものとは異なる。
【特許文献８】特開平２００３−３１３７０２号公報
【０００７】
さらに、テーピング理論を取り入れた、肉離れ、捻挫、骨折などを防止するスポーツウェアを提案している（例えば、特許文献９参照。）。これも、各部位に適切な圧力をかける方法をとってはいるが、交感神経活動を促進させ、パフォーマンスを高めるものとは異なる。
【特許文献９】特開平０９−２４１９０６号公報
【０００８】
上肢部の保護衣料としては、肩関節やその近傍の筋肉の障害の予防、治療の促進に有効なものも提案されている（例えば、特許文献１０参照。）。これもまた、各部位に適切な圧力をかける方法ではあるが、交感活動を促進させ、パフォーマンスを高めるものとは異なる。
【特許文献１０】特開平０９−２５０００８号公報
【０００９】
以上、身体にかかる圧力を制御する衣料について紹介した。しかし、上記の衣料では、交感神経活動を促進させて、パフォーマンスを高める効果を発揮することはできない。なぜなら、交感神経活動を促進させるためには、身体の特定の箇所に適当な範囲の圧力を付与することが必要であり、その箇所は、整形効果を出すための箇所、筋活動をサポートする箇所、怪我防止のための箇所、などとは異なるからである。また、運動追従性を発揮させるには、基本的に伸びの良い生地を用いるものであり、圧力をかけるために伸びにくい生地を使うこととは異なるものである。このように、背部の適切な位置に伸長応力の高い部分を配置し、衣服圧を高くすることで、交感神経を刺激するような考え方に基づいた製品設計がなされた文献はみあたらない。
【発明の開示】
【発明が解決しようとする課題】
【００１０】
本発明は、快適性を維持しながら、背部の適切な一部に圧力をかけることにより、交感神経活動を促進し、その結果、パフォーマンスをも向上させることができる衣料を提供する。パフォーマンスとは、集中力を必要とする精神的な作業の効率のことである。
【課題を解決するための手段】
【００１１】
即ち、本発明は以下の構成よりなる。
１．胸部および背部を覆う衣料において、胸部および背部の一部を構成する生地Ａの身体の周長方向の３０％伸長応力が１０ｇｆ／ｃｍから４０ｇｆ／ｃｍ、背部の少なくとも左右肩甲骨間の左右肩甲骨下端間を結ぶライン（a）と左右肩甲骨間の最も距離が短いライン(b)との間に配置する生地Ｂの身体の周長方向の３０％伸長応力が４０ｇｆ／ｃｍから７０ｇｆ／ｃｍであることを特徴とする部分的に伸長応力が異なる衣料。
２．身体の周長方向の最大８０％伸長の回復過程における伸長率３０％時の応力が生地Ａで５ｇｆ／ｃｍから１５ｇｆ／ｃｍ、生地Ｂで１０ｇｆ／ｃｍから４０ｇｆ／ｃｍであることを特徴とする上記第１記載の部分的に伸長応力が異なる衣料。
３．生地Ｂが肋骨より上部（c）では、身体の周長方向全てを覆ってはいないことを特徴とする上記第２記載の部分的に伸長応力が異なる衣料。
【発明の効果】
【００１２】
本発明による衣料を着用することで、しめつけ感が大きく息苦しい等の窮屈感が生じることはなく、背中の左右肩甲骨間を軽く押されているような感覚があり、その結果、交感神経活動が促進され、作業への集中力が高まり、パフォーマンスが向上する。オフィスでのデスクワーク、スポーツで集中力が必要な場合、勉強に集中したいとき、単純作業で集中力が欠けてしまいそうな作業、眠気により事故・災害が生じる可能性がある場面、やる気がでないときに気持ちを前向きにさせたいとき、などに有用な衣料である。
【発明を実施するための最良の形態】
【００１３】
以下、本発明を詳細に説明する。
【００１４】
本発明による胸部および背部とは、躯幹部のことを言う。躯幹部とは、腕、脚の四肢以外の胴体部分である。そのうち、胸部は前面、背部は後面を示す。胸部および背部を覆う衣料とは、胸部および背部全体を覆うウェアである必要はなく、すくなくとも一部分を覆う衣料である。ただし、胸部だけ、あるいは、背部だけの衣料は本発明には属さない。
【００１５】
身体の周長方向の伸長応力とは、1枚の生地のタテ方向あるいはヨコ方向の伸長応力ではなく、衣料にした時に身体の周長方向に配置される方向の伸長応力のことである。したがって、生地のタテ方向の場合もあれば、ヨコ方向の場合、バイアス方向の場合もある。
【００１６】
３０％の伸長応力とは、テンシロンによる生地伸長特性を計測した値を用いる。生地幅２．５ｃｍを最大８０％伸長し回復させる方法をとる。３０％伸長応力とは、伸長率３０％の時にかかる応力であり、８０％伸長の回復過程における伸長率３０％時の応力とは、８０％伸長後、戻す過程での３０％伸長されているときに残存している応力である。着用するときには８０％程度伸ばされるために最大８０％の伸長率を設定している。また、着用しているときには、通常、最大３０％程度の伸長率で着用しているため、３０％伸長時の伸長応力、および回復時の応力で設定している。生地Ａ、生地Ｂの伸長応力の測定は、衣料縫製前に衣料の出来上がりを想定して、身体の周長方向の測定をしてもよいし、出来上がった衣料からサンプリングしてもよい。また、立体成型編みのような１枚の生地ではなく、衣料の形で出来上がる場合は、出来上がった衣料からサンプリングして測定する。
【００１７】
身体の周長方向の３０％伸長応力が１０ｇｆ／ｃｍから４０ｇｆ／ｃｍである生地Ａは、胸部および背部の一部を構成する。伸長応力がこの範囲であれば、胸部を圧迫しにくく、呼吸が苦しい、窮屈、圧迫感がある、という不快感は生じにくい。望ましくは、１０ｇｆ／ｃｍから１５ｇｆ／ｃｍであると、より圧迫感を感じなくてすむ。伸長応力が１０ｇｆ／ｃｍ未満であると、身体へフィットしにくくなるので適当ではない。逆に、４０ｇｆ／ｃｍを超えると、胸部が圧迫され、呼吸に伴う肋骨の動きを妨げ、呼吸が苦しくなり不快感を覚えるため、不適当である。
【００１８】
身体の周長方向の３０％伸長応力が４０ｇｆ／ｃｍから７０ｇｆ／ｃｍである生地Ｂは、背部のうち、少なくとも左右肩甲骨間の左右肩甲骨下端間を結ぶライン（a）と左右肩甲骨間の最も距離が短いライン(b)との間に配置する。伸長応力は、この範囲であれば、肩甲骨の間を軽く押さえる効果が発揮される。望ましくは、４５ｇｆ／ｃｍから６５ｇｆ／ｃｍであると、より交感神経活動を促進させることが可能である。伸長応力が４０ｇｆ／ｃｍ未満であると、肩甲骨の間を押さえる効果が小さく、好感神経活動を促進させることができない。一方、伸長応力が７０ｇｆ／ｃｍを超えると、左右肩甲骨の間を押さえるだけでなく、胸部を圧迫させることにつながる。胸部を圧迫されると圧迫感が出て、呼吸も苦しくなり不快感が増大するので好ましくない。
【００１９】
生地Ｂの配置部分であるが、左右肩甲骨の間を押さえるように配置されることが重要である。したがって、下ラインは左右肩甲骨下端間を結ぶライン（a）、上ラインは左右肩甲骨間の最も距離が短いライン(b)、左右のラインは、左右肩甲骨の端ラインが適当といえる。この上下左右に囲まれた領域（イ）すべてを生地Ｂで覆う必要はなく、一部分でもこの領域に生地Ｂが配置されていれば交感神経活動を促進する効果は発揮される。ただし、左右均等に配置されない場合、身体への圧力が左右均等にかからず不快感の原因になるので望ましくない。効果的なのは、胸椎と肩甲骨の間の圧力を高めることである。その部分に、伸長応力の高い生地Ｂを配置する、あるいは、伸長応力の切り替え部分を配置すると、胸椎と肩甲骨の間部分の圧力を高めることができる。また、上記領域以外に生地Ｂが配置されていてもかまわない。胸椎方向に上から下まで配置されていてもかまわないし、肩甲骨上に配置されていてもかまわない。ライン（a）、ライン（ｂ）、領域（イ）の位置を（図１）に示す。
【００２０】
しかしながら、生地Ｂが肋骨より上部（c）では、身体の周長方向すべてを覆うことはしてはならない。伸長応力の高い生地Ｂを身体の周長方向すべてを覆う、言い換えれば、周長方向に切れ目がない、遮断される部分がないと、胸部を圧迫することになり、呼吸が苦しく、圧迫感が出て、交感神経活動を促進することは難しくなる。生地Ｂは、必要最小限に使用することが望ましい。さらに、左右肩峰から連続して生地Ｂが配置されると、肩の動きが阻害されたり、肩が後面に反るような作用をして息苦しい感覚が生じる場合があるので望ましくない。（ｃ）を（図１）示す。
【００２１】
尚、生地Ｂ配置部分以外については生地Ａを全て配置してもよいが、生地Ａと生地Ｂの間の伸長応力を有する生地を必要に応じて配置されていてもかまわない。たとえば、衣料のずれ上がりを防止するために、腰部に相当する部分に伸長応力が生地Ａと生地Ｂの間を示す生地を配置してもかまわない。また、生地Ａと生地Ｂとの切り替え部分を、縫い合わせ、貼り合わせ、あるいは度目切り替え、スパンデックスの太さ変更などで実現することが可能であるが、度目切り替えを段階的にしたり、スパンデックスの太さ変更を段階的にしたり、柄編みにより生地の伸長応力を段階的に変更したりして、伸長応力にグラデーションをつけて生地Ａと生地Ｂの間の伸長応力が配置されてもかまわない。
【００２２】
身体の周長方向の８０％伸長の回復過程における伸長率３０％時の応力は、生地Ａで５ｇｆ／ｃｍから１５ｇｆ／ｃｍであることが必要である。５ｇｆ／ｃｍ未満では、動作時の身体へのフィット性、皮膚伸びに対する追随性が悪くなるので好ましくない。逆に、１５ｇｆ／ｃｍを超えると、安静時の圧迫感が増大し、胸部へのしめつけ感が大きくなるので好ましくない。望ましくは、５ｇｆ／ｃｍから１０ｇｆ／ｃｍであると圧迫感を感じにくく適当である。
【００２３】
身体の周長方向の８０％伸長の回復過程における伸長率３０％時の応力は、生地Ｂで１０ｇｆ／ｃｍから４０ｇｆ／ｃｍであることが好ましい。１０ｇｆ／ｃｍ未満であると、肩甲骨間を押さえる効果が小さくなるので好ましくない。逆に、４０ｇｆ／ｃｍを超えると、肩甲骨間付近のみならず、胸部が圧迫されるので、好ましくない。望ましくは、２０ｇｆ／ｃｍから３５ｇｆ／ｃｍの範囲であると肩甲骨間を適度に押さえる効果があり、交感神経活動を促進しやすい。尚、基本的に生地Ｂは生地Ａに対し、本発明で規定している全ての伸長応力において、高い値を示すものでなければ、本発明の効果は発揮されない。
【００２４】
尚、伸長応力の測定部位については、身体の周長方向を測定することはすでに述べたが、左右肩甲骨下端間を結ぶラインを下線として、そこから伸長応力測定幅の２．５ｃｍ上までをサンプリングする。生地Ｂの測定は、左右肩甲骨下端間を結ぶライン（a）、左右肩甲骨間の最も距離が短いライン(b)、左右肩甲骨の端ラインで囲まれた領域（イ）の間に配置される部分でサンプリングする。生地Ａの測定は、左右肩甲骨下端ライン（a）の延長上の胸部中央部分付近でサンプリングする。ただし、領域（イ）の伸長応力が高い部分が上記ライン上にない場合は、領域(イ)内での、左右肩甲骨下端間を結ぶライン（a）と左右肩甲骨間の最も距離が短いライン(b)の半分より下の位置で最も伸長応力が高い位置のラインをサンプリング２．５ｃｍ幅の中央ラインとしてサンプリングする。Ｍサイズのウェアであれば、Ｍサイズの人体で測定部位を決めることができる。
【実施例】
【００２５】
以下に実施例および比較例を示す。
【００２６】
（実施例１）
ナイロンフィラメント４０デシテックス−３４フィラメント、スパンデックス２２デシテックスで構成されるトリコットハーフツーウェイ生地(1)、および、スパンデックス７８デシテックス、ポリエステル６６デシテックス−３３フィラメントのベア天竺の生地(2)を用い、両生地を（図２）に示すようなパターンに縫い合わせて袖なしインナーを作成した。生地(1)は３２ゲージ／インチ、生地(2)は２８ゲージ／インチで編み立てた。本発明の生地Ａに相当するのが生地(1)、生地Ｂに相当するのが生地(2)である。身体の周長方向の３０％伸長応力は生地(1)が１３．２ｇｆ／ｃｍ、生地(2)が５１．５ｇｆ／ｃｍである。また、身体の周長方向の８０％伸長の回復過程における伸長率３０％時の応力は、生地(1)で６．９ｇｆ／ｃｍ、生地(2)で３４．７ｇｆ／ｃｍである。袖なしインナーのサイズは、女性のＭサイズに相当する。
【００２７】
（実施例２）
ナイロンフィラメント４４デシテックス―３４フィラメント、スパンデック４４デシテックスで構成されるトリコットハーフツーウエイ編地(3)の一部に更にスパンデックス４４デシテックスを配置した。スパンデックスの配置部分は、幅８ｃｍで、デンビー組織(4)にして、その部分の伸長応力が高くなるように設計した。本発明の生地Ａに相当するのが生地(3)、生地Ｂに相当するのが、生地(4)である。該生地を背中の中央ラインの胸椎部分でバイアス方向に縫い合わせ、肩甲骨間に伸長応力が高い部分が配置されるような袖なしインナーを縫製した。胸部は、スパンデックスの挿入糸がない部分で構成し、背部を構成する生地と脇部で縫い合わせた。パターンを（図３）に示す。身体の周長方向の３０％伸長応力は生地(3)が２５．０ｇｆ／ｃｍ、生地(4)が４１．１ｇｆ／ｃｍである。また、身体の周長方向の８０％伸長の回復過程における伸長率３０％時の応力は、生地(3)で５．５ｇｆ／ｃｍ、生地(4)で１９．３ｇｆ／ｃｍである。袖なしインナーのサイズは、女性のＭサイズに相当する。
【００２８】
（実施例３）
小寸の丸編機で、スパンデックス２２デシテックスとナイロン７８デシテックス−４８フィラメントのカバリング糸とナイロン７８デシテックス−４８フィラメントとの交編の天竺組織の生地(5)を作成した。次に、生地(5)に使用した糸での天竺組織部分に、スパンデックス４４デシテックスとナイロン７８デシテックス−４８フィラメントのカバリング糸とナイロン７８デシテックス−４８フィラメントとの交編の天竺組織(6)を切り替えながら天竺組織の生地を編み立てた。そして、両生地を切り開いて、脇で縫い合わせた。（図４）に示すパターンの袖なしインナーを作成した。本発明の生地Ａに相当するのが生地(5)、生地Ｂに相当するのが、生地(6)である。身体の周長方向の３０％伸長応力は生地(5)１１．７ｇｆ／ｃｍ、生地(6)が４０．６ｇｆ／ｃｍである。また、身体の周長方向の８０％伸長の回復過程における伸長率３０％時の応力は、生地(3)で７．９ｇｆ／ｃｍ、生地(4)で１１．４ｇｆ／ｃｍである。袖なしインナーのサイズは、女性のＭサイズに相当する。
【００２９】
（実施例４）
小寸の丸編機で、スパンデックス４４デシテックスと綿４０番手のカバリング糸と綿４４０番手との交編の天竺組織の生地(7)を作成した。次に、生地(7)に使用した糸での天竺組織部分に、スパンデックス７８デシテックスと綿４０番手のカバリング糸と綿４０番手との交編の天竺組織(8)を切り替えながら天竺組織の生地を編み立てた。そして、両生地を切り開いて、脇で縫い合わせた。（図５）に示すパターンの袖なしインナーを作成した。本発明の生地Ａに相当するのが生地(7)、生地Ｂに相当するのが生地(8)である。身体の周長方向の３０％伸長応力は生地(7)３５．０ｇｆ／ｃｍ、生地(8)が６６．７ｇｆ／ｃｍである。また、身体の周長方向の８０％伸長の回復過程における伸長率３０％時の応力は、生地(3)で１３．８ｇｆ／ｃｍ、生地(4)で２９．８ｇｆ／ｃｍである。袖なしインナーのサイズは、女性のＭサイズに相当する。
【００３０】
（比較例１）
ナイロンフィラメント４０デシテックス−３４フィラメント、スパンデックス２２デシテックスで構成されるトリコットハーフツーウェイ生地のみで半袖インナーを作成した。編み機のゲージは、３２ゲージ／インチである。身体の周長方向の３０％伸長応力は１３．２ｇｆ／ｃｍである。また、身体の周長方向の８０％伸長の回復過程における伸長率３０％時の応力は、６．９ｇｆ／ｃｍである。半袖インナーのサイズは、女性のＭサイズに相当する。
【００３１】
（比較例２）
ナイロンフィラメント４４デシテックス―３４フィラメント、スパンデック４４デシテックスで構成されるトリコットハーフツーウエイ編地(3)の一部に更にスパンデックス４４デシテックスを配置した。スパンデックスの配置部分は、幅８ｃｍで、デンビー組織(4)にして、その部分の伸長応力が高くなるように設計した。本発明の生地Ａに相当するのが生地(3)、生地Ｂに相当するのが、生地(4)である。左右肩甲骨下端ラインの身体の周長方向に生地(4)が連続して配置されるインナーを作成した。パターンを（図６）に示す。身体の周長方向の３０％伸長応力は５６．１ｇｆ／ｃｍである。また、身体の周長方向の８０％伸長の回復過程における伸長率３０％時の応力は、２７．３ｇｆ／ｃｍである。袖なしインナーのサイズは、女性のＭサイズに相当する。
【００３２】
以下、評価方法、および評価結果を示す。
【００３３】
環境２５℃５０％ＲＨで、女性５名により着用テストを実施した。試料は、実施例１と比較例１の２点を用いた。１桁の数字を４つ加算する計算問題を５０分間実施した。心拍数を計測し平均心拍周期の経時変化、およびパフォーマンスとして計算の正答数の経時変化を求めた。また、自律神経活動の指標として、心電図のＲＲ間隔をＦＦＴ処理してパワースペクトルを求め、低周波数領域ＬＦ（０．０４〜０．１５Ｈｚ）と高周波数領域ＨＦ（０．１５〜０．４Ｈｚ）に分け、ＨＦ／（ＬＦ＋ＨＦ）の値を副交感神経指標として用いた。心拍周期が速いと交感神経活動が促進されている、ＨＦ／（ＬＦ＋ＨＦ）が低いと交感神経活動が促進されていると判断する。（図７）に心拍周期の結果、（図８）にＨＦ／（ＬＦ＋ＨＦ）、（図９）に正答数の結果を示す。平均心拍周期およびＨＦ／（ＬＦ＋ＨＦ）は、実験開始直後の計算５分間の初期値を１とし、経時的な増減比を示す。
【００３４】
実施例１は、比較例１に対し、心拍周期が低下しにくい、ＨＦ／（ＬＦ＋ＨＦ）が上昇しにくい傾向を示しており、交感神経活動が促進されていることを確認した。また、パフォーマンスの指標である、計算の正答数も高く維持されており、パフォーマンスにも優れていることを確認した。＊印１個の箇所は危険率５％で試料間に有意差、＊印２個の箇所は危険率１％で試料間に有意差があることを示す。尚、ヒアリングの結果、実施例１は比較例１に対し、窮屈であるとか、圧迫感があるという不快な着用感を示すことはなかった。
【００３５】
環境２５℃、５０％ＲＨで、女性５名により着用テストを実施した。試料は、実施例１〜実施例４、比較例１および２の６水準である。１桁の数字を４つ加算する計算問題を２０分間実施した。実験後、着用感アンケートをＳＤ法によりおこなった。
【００３６】
実験結果を（表１）に示す。平均心拍周期、ＨＦ／（ＬＦ＋ＨＦ）、正答数ともに、計算前初期５分間の値を１としての増減比で表し、計算２０分後の値を示す。着用感アンケートは、「圧迫感がない⇔圧迫感がある」「不快⇔快適」を、−２点から＋２点の５段階評価で回答してもらった。
【００３７】
【表１】
2006161207.tif 000003
【００３８】
実施例１〜実施例４は、比較例１、比較例２に対し、計算負荷により平均心拍周期が高くなり、ＨＦ／（ＬＦ＋ＨＦ）が低くなる傾向を示し、交感神経活動が促進されている、低下していないことを確認した。また、同時に、正答数は高くなる傾向を示し、作業のパフォーマンスが向上することを確認した。このときの、着用感については、実施例１〜４は、圧迫感はそれほどなく、快適に感じているのに対し、比較例１は圧迫感がなく快適な傾向を示し、比較例２は、圧迫感が大きく不快に感じている傾向を示す。比較例１は、左右肩甲骨間の伸長応力が高くない生地で構成され、全身が伸長応力の低い生地で構成されており、着用感は快適であるが、交感神経活動を高めパフォーマンスを向上させる効果は発揮されないことがわかる。一方、比較例２は、左右肩甲骨間の伸長応力は高いが、身体の周長方向全てを該伸長応力の高い生地で構成しているため、胸部を圧迫して不快である上、交感神経活動を促進させパフォーマンスを向上させる効果も発揮されていないことがわかる。
【００３９】
尚、実施例では女性用インナーの例を示しているが、生地Ｂの幅は本実施例に限定されるものではない。また、生地Ａ、生地Ｂとの配置についても、本実施例のパターンに限定されるものではない。
【産業上の利用可能性】
【００４０】
本発明の衣料は、伸長応力が適切な生地を各部位に配置させることにより、胸部は圧迫しなく、左右肩甲骨間を軽く押さえ、その結果、自律神経活動の交感神経活動を促進させ、作業効率を高める効果を発揮する。オフィスでのデスクワーク、スポーツで集中力が必要な場合、勉強に集中したいとき、単純作業で集中力が欠けてしまいそうな作業、眠気により事故・災害が生じる可能性がある場面、やる気がでないときに気持ちを前向きにさせたいときなどに有用な衣料である。
【図面の簡単な説明】
【００４１】
【図１】本発明の衣料の構成と身体の関係を概要の説明図である。
【図２】本発明の衣料の一態様を示す模式図である。
【図３】本発明の衣料の他の一態様を示す模式図である。
【図４】本発明の衣料の他の一態様を示す模式図である。
【図５】本発明の衣料の他の一態様を示す模式図である。
【図６】比較品衣料の一態様を示す模式図である。
【図７】本発明の衣料と比較品衣料着用による心拍周期結果の一例を示すグラフである。
【図８】本発明の衣料と比較品衣料着用による副交感神経指標ＨＦ／（ＬＦ＋ＨＦ）の結果の一例を示すグラフである。
【図９】本発明の衣料と比較品衣料着用による正答数の結果の一例を示すグラフである。
【図７】
2006161207.tif 000004
【図８】
2006161207.tif 000005
【図９】
2006161207.tif 000006
【図１】
2006161207.tif 000007
【図２】
2006161207.tif 000008
【図３】
2006161207.tif 000009
【図４】
2006161207.tif 000010
【図５】
2006161207.tif 000011
【図６】
2006161207.tif 000012